(57)【特許請求の範囲】
【請求項１】
載置台に立設する立設支持部と、
袋を保持するアームと、
前記アームが取り付けられたアーム保持具と、
前記アーム保持具と前記立設支持部とを接続し、前記アームの延びる方向を前記載置台の載置面に対して略平行方向又は略垂直方向に自在とする回転支持部と、
前記アーム保持具を操作するために前記アーム保持具に所定量スライド可能にして取り付けられたレバーと、
前記アームの延びる方向を略平行方向とした際に、前記レバーをスライドさせて当該レバーの端部を嵌合穴に差し込むことで前記アーム保持具を固定状態とし、前記レバーの端部を前記嵌合穴から抜くように前記レバーをスライドさせる解除操作で前記固定状態を解除するロック機構と、
を備えることを特徴とする袋保持装置。
【請求項２】
前記アームは袋を開いた状態で保持する一対のアームであること、
を特徴とする請求項１に記載の袋保持装置。
【請求項３】
前記アームには、当該アームを略垂直方向とした際に、前記載置台に載置された品物をガードする板面が設置されること、
を特徴とする請求項１又は２に記載の袋保持装置。
【請求項４】
前記アーム保持具は、前記固定状態で締結固定を行う固定部材を着脱可能とすること、
を特徴とする請求項１乃至３のいずれか一項に記載の袋保持装置。
【請求項５】
前記固定部材は、袋を引っ掛けるフックを備えること、
を特徴とする請求項４に記載の袋保持装置。
【請求項６】
請求項１乃至５のいずれか一項に記載の袋保持装置を備えた載置台と、
商品の決済を行う決済端末と、
を有することを特徴とするチェックアウト装置。
【発明の詳細な説明】
【技術分野】
【０００１】
本発明の実施形態は、袋保持装置及びチェックアウト装置に関する。
【背景技術】
【０００２】
従来、スーパーマーケット等に設置されたセルフチェックアウト装置には、商品等の品物を載置する載置台に、顧客に提供するビニール袋や顧客が持参した袋等（以下、袋と呼ぶ）を開いた状態で保持するアームを有する袋保持装置を備えるものがある。顧客は、セルフチェックアウト装置において、決済のための登録を行った商品を袋保持装置で保持された袋に入れて決済を行った後、その商品を入れた袋を袋保持装置から取り外して持ち帰る。
【発明の概要】
【発明が解決しようとする課題】
【０００３】
ところで、顧客によってはダンボール箱ごと商品を購入したいという要望や、袋の代わりにダンボール箱などを用いたいという要望がある。しかしながら、上述した従来の袋保持装置では、ダンボール箱などの大きな部材を載置台に載置した場合、袋を保持するアームが邪魔となることがあった。
【課題を解決するための手段】
【０００４】
上述した課題を解決するために、実施形態の袋保持装置は、載置台に立設する立設支持部と、袋を保持するアームと、前記アームが取り付けられたアーム保持具と、前記アーム保持具と前記立設支持部とを接続し、前記アームの延びる方向を前記載置台の載置面に対して略平行方向又は略垂直方向に自在とする回転支持部と、前記アーム保持具を操作するために前記アーム保持具に所定量スライド可能にして取り付けられたレバーと、前記アームの延びる方向を略平行方向とした際に、前記レバーをスライドさせて当該レバーの端部を嵌合穴に差し込むことで前記アーム保持具を固定状態とし、前記レバーの端部を前記嵌合穴から抜くように前記レバーをスライドさせる解除操作で前記固定状態を解除するロック機構と、を備える。
【図面の簡単な説明】
【０００５】
【図１】図１は、セルフチェックアウト装置を例示する斜視図である。
【図２】図２は、載置台の概観を示す斜視図である。
【図３】図３は、保持アームの延びる方向を略平行方向とした際の袋保持装置の斜視図である。
【図４】図４は、保持アームの延びる方向を略垂直方向とした際の袋保持装置の斜視図である。
【図５】図５は、アーム保持具近傍を横から見た断面概略図である。
【図６】図６は、レバーが取り付けられている部分を横方向から見た断面概略図である。
【図７】図７は、レバーが取り付けられている部分を縦方向から見た断面概略図である。
【図８】図８は、板金を取り付けた際の斜視図である。
【図９】図９は、変形例にかかる袋保持装置の概観を示す斜視図である。
【図１０】図１０は、アーム保持具近傍を横から見た断面概略図である。
【図１１】図１１は、変形例にかかる袋保持装置の概観を示す斜視図である。
【図１２】図１２は、変形例にかかる袋保持装置に板金を取り付けた際の斜視図である。
【発明を実施するための形態】
【０００６】
以下に添付図面を参照して、本実施形態にかかる袋保持装置の詳細を説明する。本実施形態にかかる袋保持装置は、スーパーマーケット等に設置されたセルフチェックアウト装置に用いられる。
【０００７】
図１は、セルフチェックアウト装置を例示する斜視図である。図１に示すように、セルフチェックアウト装置は、載置台１０１と、商品の決済を行う決済端末２０１と、袋保持装置３００を備える載置台３０１とから構成されている。
【０００８】
載置台１０１は、決済端末２０１のベースハウジング２０２ａの左脇に突出して設けられており、上面に秤台１０２を有する。この秤台１０２の上面に位置する載置面１０２ａには、スーパーマーケット等で用いられる図示しないカゴを位置決めするための突部１０３がＬ字形状に突出形成されている。顧客は、決済前の品物（商品）が入れられたカゴを載置台１０１に載置して決済端末２０１による決済を行う。載置台１０１は、秤台１０２の上面に位置する載置面１０２ａに載置された品物の重量を計量するロードセル秤であり、計量結果を決済端末２０１に出力する。このような載置台１０１は、構造的にはロードセル秤であるため、その詳細な説明は省略する。
【０００９】
決済端末２０１は、床面に設置されて載置台１０１が固定されるベースハウジング２０２ａと、このベースハウジング２０２ａの上面に載置される上部ハウジング２０２ｂとによって構成されている。ベースハウジング２０２ａの前面は、下方に向かうほどベースハウジング２０２ａの投影面積を狭めるように傾斜している。これにより、ベースハウジング２０２ａは、下方に向かうほど奥側にオフセットした形状となっている。
【００１０】
上部ハウジング２０２ｂには、左側に商品情報読取部としてのバーコードスキャナ２０３が配置され、右側にプリンタカバー２０４及び監視カメラ２０５が配置され、これらのバーコードスキャナ２０３とプリンタカバー２０４及び監視カメラ２０５の間にはカード読取部２０６とテンキー２０７とが配置されている。バーコードスキャナ２０３は、商品に付された商品コードを読み取る商品情報読取部として機能する縦型スキャナである。プリンタカバー２０４には、レシート発行口２０８が設けられている。プリンタカバー２０４の奥側には図示しないレシートプリンタが上部ハウジング２０２ｂに内蔵され、このレシートプリンタによって印字される図示しないレシートは、レシート発行口２０８から発行されるように構成されている。プリンタカバー２０４は、上部ハウジング２０２ｂに対して開閉自在に取り付けられ、フラップ２０９の引っ張り操作で開放される。監視カメラ２０５は、プリンタカバー２０４の上方に配置されている。カード読取部２０６は、図示しない非接触ＩＣカードと無線通信を確立し、非接触ＩＣカードに対して情報を読み書きする。非接触ＩＣカードは、現金と等価な価値を有する電子マネーを記憶保存することが可能であり、決済に際して利用される。図１中、丸印の中に「ＣＡＲＤ」等と記されている部分の奥側に図示しないアンテナが内蔵され、このアンテナを介して非接触ＩＣカードとの間の無線通信が確立される。テンキー２０７は、非接触ＩＣカードでの決済に際して、暗証番号の入力のために用いられる。
【００１１】
上部ハウジング２０２ｂには、液晶表示パネルを有する表示器２１０が取り付けられている。この表示器２１０は、その表示面にタッチパネル２１１を有し、右側にカード読取溝２１２を有する。カード読取溝２１２の内部には、図示しないカードリーダが内蔵されている。カードリーダは、クレジットカード等の磁気カードに記録された情報、例えばカード番号や暗証番号を読み取る。
【００１２】
ベースハウジング２０２ａには、図示しない硬貨と紙幣との入出金装置が内蔵されている。入出金装置の一部として、ベースハウジング２０２ａの中央上面には硬貨投入口２１３が配置され、その左側には硬貨払出口２１４が配置されている。また、ベースハウジング２０２ａの前面右上方位置には、紙幣投入口２１５と紙幣払出口２１６とが配置されている。
【００１３】
さらに、ベースハウジング２０２ａの背面からは、セルフチェックアウト装置の現在の状態を表示する表示ポール２１７が立設されている。この表示ポール２１７は、先端部に青色と赤色とに選択的に発光する発光部２１８を有する。
【００１４】
決済端末２０１は、内部に図示しない制御部を有する。制御部は、例えば動作シーケンスが書き込まれた半導体チップ構成のものであっても、ＲＡＭ等に動作プログラムを記憶させて動作するマイクロコンピュータ構成のものであっても良い。いずれにしても、制御部では、読み取られた商品コードに従い決済金額の算出を含む商品販売データ処理を実行する処理プロセスと、算出された決済金額の決済処理を可能にする処理プロセスとを実行する。商品販売データ処理では、基本的には、バーコードスキャナ２０３で商品に付されたバーコードが読み取られた場合に、そのバーコードによって特定される商品コードとこの商品コードに対応する単価とをＰＬＵファイルから検索し、タッチパネル２１１での締め操作に応じて必要な消費税計算等を含む売上合計金額計算を実行して決済金額を算出し、決済金額を仮登録するか、あるいは売上ファイルに登録する。決済処理では、商品販売データ処理で算出した決済金額について、現金、クレジットカード等の磁気カード、電子マネーを記憶保存する非接触ＩＣカードを利用した決済を可能にする。現金の扱いは、ベースハウジング２０２ａに設けられた入出金装置で実行され、磁気カードの扱いは、カード読取溝２１２の内部に設けられたカードリーダによって実行され、非接触ＩＣカードの扱いは、カード読取部２０６を介して実行される。
【００１５】
載置台３０１は、決済端末２０１のベースハウジング２０２ａの右脇に設けられており、台座３０２の上面に秤台３０３を有する。この秤台３０３の上面に位置する載置面３０３ａには、後ろ側に袋保持装置３００が設けられている。
【００１６】
図２は、載置台３０１の概観を示す斜視図である。図２に示すように、載置面３０３ａの後ろ側には、載置面３０３ａに載置された品物が後方に落ちないようにガードするためのガード部材３０４と、顧客に提供するビニール袋や顧客が持参した袋等（以下、袋と呼ぶ）を保持する保持アーム３０９を有する袋保持装置３００が設けられている。顧客は、決済端末２０１により決済を行った商品を袋に入れて持ち帰る場合、保持アーム３０９に袋を保持させて決済後の商品を詰め込む。載置台３０１は、秤台３０３の上面に位置する載置面３０３ａに載置された商品や、保持アーム３０９に保持された袋に詰め込まれた商品の重量を計量するロードセル秤であり、計量結果を決済端末２０１に出力する。例えば、決済端末２０１では、載置台１０１の計量結果（決済前後の減量分）と、載置台３０１の計量結果（決済前後の増量分）とを比較することで、未決済の商品が載置台３０１側に紛れ込むなどの異常がなく、正常に決済が行われたか否かを判別する。
【００１７】
袋保持装置３００は、載置台３０１に立設する立設支持部３０５の上部にヒンジ３０７が取り付けられ、そのヒンジ３０７には保持アーム３０９が取り付けられたアーム保持具３０８が接続する構成である。ヒンジ３０７は、立設支持部３０５の上部手前において横方向に回転軸を持っている。したがって、アーム保持具３０８はヒンジ３０７の回転軸により手前側に倒れ、アーム保持具３０８に取り付けられた保持アーム３０９の延びる方向は、載置台３０１の載置面３０３ａに対して略平行方向又は略垂直方向に自在となる。なお、アーム保持具３０８は、保持アーム３０９の延びる方向を略平行方向としたところで固定状態とするロック機構（詳細は後述する）により、図示例のように保持アーム３０９の延びる方向を略平行方向とした状態で固定される。
【００１８】
図３は、保持アーム３０９の延びる方向を略平行方向とした際の袋保持装置３００の斜視図である。図４は、保持アーム３０９の延びる方向を略垂直方向とした際の袋保持装置３００の斜視図である。図３に示すように保持アーム３０９の延びる方向を載置面３０３ａに対して略平行方向とすることで、顧客は、保持アーム３０９に袋４００を保持させて商品を袋に詰める作業を行うことができる。また、図４に示すように保持アーム３０９の延びる方向を載置面３０３ａに対して略垂直方向とすることで、載置面３０３ａに箱５００を載置して顧客が商品を詰める際に、保持アーム３０９が邪魔となることがない。
【００１９】
なお、ヒンジ３０７には、例えばトルクヒンジを用いる。ヒンジ３０７をトルクヒンジとすることで、保持アーム３０９の延びる方向の略平行方向又は略垂直方向への切り替えが急激に行われることを防止できる。特に、図３に例示した状態から図４に例示した状態への切り替えは、保持アーム３０９の自重が加わるために急激に行われる場合がある。ヒンジ３０７をトルクヒンジとして保持アーム３０９の自重分を緩和することで、その切り替えをスムーズに行うことができる。
【００２０】
立設支持部３０５は、例えばスチールやアルミ製のパイプであり、秤台３０３の後ろ側の左右両端に溶接して設置される。なお、本実施形態では立設支持部３０５を秤台３０３に溶接する構成を例示しているが、立設支持部３０５は、秤台３０３に設けられた穴に挿し込むなどして、取り外しが自在であってもよい。
【００２１】
立設支持部３０５の上部には上部板金３０６と前部板金３０６ａが設けられている。上部板金３０６の上部手前には、ヒンジ３０７が取り付けられている。なお、ヒンジ３０７が取り付けられる高さは、ヒンジ３０７にアーム保持具３０８を取り付けて保持アーム３０９の延びる方向を略平行方向とした際に、保持アーム３０９で保持される袋の底部が載置面３０３ａに接しない程度とする。
【００２２】
また、上部板金３０６の上部には、上部板金３０６に取り付けられた支持柱３１５（図５参照）を介して上面が平坦な天板３１３が取り付けられる。天板３１３は、後部にガード部材３１４を備え、例えば決済端末２０１でバーコードを読み取った後の商品を一時的に置く用途で用いられる。
【００２３】
アーム保持具３０８は、左右に一対の保持アーム３０９を、略平行方向にした際に手前に延びる形で取り付けている。保持アーム３０９の取り付けは、溶接などであってもよいし、アーム保持具３０８に設けられたネジ穴等にねじ込んでもよい。
【００２４】
保持アーム３０９は、例えばスチールやアルミ製のパイプであり、袋４００の取っ手部分を引っ掛ける袋保持部３１０と、案内板３１１とが取り付けられている。図３に示すように、左右に一対の保持アーム３０９に取り付けられた袋保持部３１０に袋４００の取っ手部分を引っ掛けることで、袋４００は開いた状態で保持されることとなる。
【００２５】
案内板３１１は、案内やＰＯＰなどの表示を行う例えば樹脂製の板面である。この案内板３１１は、図４に示すように、保持アーム３０９の延びる方向を略垂直方向とした際には、載置面３０３ａに載置された箱５００をガードする。具体的には、案内板３１１の板面は、保持アーム３０９の延びる方向を略垂直方向とした際に、板面の向きが載置面３０３ａの中心方向に向くように設置されている。
【００２６】
また、アーム保持具３０８には、顧客などが手にとって操作する把持部としてのレバー３１２が取り付けられている。袋保持装置３００では、アーム保持具３０８を手にとって操作することで、図３に例示した状態から図４に例示した状態（又はその逆）への切り替えを容易としている。また、アーム保持具３０８は、所定量スライドするように取り付けられており、例えば手前に引くなどの操作（解除操作）により、ロック機構によるアーム保持具３０８の固定状態を解除する。
【００２７】
ここで、ロック機構について詳細に説明する。図５は、アーム保持具３０８近傍を横から見た断面概略図である。図６は、レバー３１２が取り付けられている部分Ａを横方向から見た断面概略図である。図７は、レバー３１２が取り付けられている部分Ａを縦方向から見た断面概略図である。
【００２８】
図５に示すように、アーム保持具３０８は、保持アーム３０９の延びる方向を略平行方向としたところで、アーム保持具３０８を貫通するレバー３１２の端部が支持柱３１５に設けられた嵌合部３１６に嵌め込まれることで、固定状態とされる。この固定状態は、レバー３１２を手前に引いて嵌合部３１６に嵌め込まれたレバー３１２の端部を抜くことで解除される。
【００２９】
図６に示すように、レバー３１２にはスライドをガイドするためのガイド穴３２０が左右に設けられており、ガイド穴３２０にはアーム保持具３０８の内部にある支持棒３２１が差し込まれている。したがって、レバー３１２は、ガイド穴３２０の長さ分のスライドが可能となっている。
【００３０】
また、図７に示すように、支持棒３２１には、コイルバネなどの弾性部材３２３が取り付けられている。弾性部材３２３には、アーム保持具３０８の外側においてビスＢ１でレバー３１２に止められた支持棒３２２が取り付けられている。したがって、レバー３１２は、弾性部材３２３の弾性力により、手前に引く操作が行われない場合はアーム保持具３０８に差し込んだ状態で維持される。よって、アーム保持具３０８は、保持アーム３０９の延びる方向を略平行方向としたところで、弾性部材３２３の弾性力によりレバー３１２の端部が嵌合部３１６に嵌め込まれて固定状態とされ、その状態を維持されることとなる。
【００３１】
図３に示すように、アーム保持具３０８、前部板金３０６ａには、ネジ穴Ｎ１が設けられている。このネジ穴Ｎ１には、アーム保持具３０８を固定状態とした際に締結固定を行う板金が着脱可能となっている。図８は、板金３５０を取り付けた際の斜視図である。図８に示すように、アーム保持具３０８を固定状態とした際には、ネジ穴Ｎ１にビスＢ２で留める板金３５０が着脱可能である。店舗の運用形態が袋４００にのみ商品を詰めて持ち帰るような運用形態である場合には、この板金３５０を取り付けることで、不用意にアーム保持具３０８の固定状態が解除され、袋４００の保持ができなくなることを防止できる。なお、板金３５０には、顧客に提供するビニール袋として店舗側で用意した袋などを引っ掛ける袋かけフック３５１を備えてもよい。
【００３２】
＜変形例＞
次に袋保持装置３００の変形例の一例を説明する。図９は、変形例にかかる袋保持装置３００ａの概観を示す斜視図である。
【００３３】
図９に示すように、袋保持装置３００ａでは、袋保持装置３００のレバー３１２をなくす代わりに、天板３１３の後部にあるガード部材３１４ａでロック機構の解除を行う構成である。また、アーム保持具３０８ａには、天板３１３が接続されており、天板３１３がアーム保持具３０８ａと一体的に動くようになっている。したがって、保持アーム３０９の延びる方向を略垂直方向とした状態でもバーコードを読み取った後の商品を一時的に置く用途として用いることが可能な板３１３ａが板支持部３１３ｂを介してアーム保持具３０８ａに取り付けられている。
【００３４】
図１０は、アーム保持具３０８ａ近傍を横から見た断面概略図である。図１０に示すように、ガード部材３１４ａは、例えばスチール又はアルミ製のパイプであり、そのパイプの一端がアーム保持具３０８ａの中で回転支持部３３１により支持されている。また、ガード部材３１４ａには、アーム保持具３０８ａの中でコイルバネなどの弾性部材３３２と、留め具３３５によるアーム３３４とが取り付けられている。弾性部材３３２は、アーム保持具３０８ａの底部と接続されており、弾性力によりガード部材３１４ａを下向きに引く。アーム３３４には、ガード部材３１４ａが上向きに引かれた際に上部板金３０６への係止を解除するフック３３３が取り付けられている。フック３３３は、上部板金３０６に設けられた穴（図示しない）に係止する。
【００３５】
したがって、アーム保持具３０８ａは、保持アーム３０９の延びる方向を載置面３０３ａに対して略平行方向としたところで、上部板金３０６にフック３３３が係止することで、固定状態とされる。そして、ガード部材３１４ａを上向きに引くことで、アーム保持具３０８の固定状態が解除される。
【００３６】
図１１は、変形例にかかる袋保持装置３００ａの概観を示す斜視図であり、より具体的には、保持アーム３０９の延びる方向を略垂直方向とした際の概観を示す斜視図である。図１１に示すように、保持アーム３０９の延びる方向を載置面３０３ａに対して略垂直方向とした場合は、天板３１３の代わりに板３１３ａが水平な状態となるため、板３１３ａをバーコードを読み取った後の商品を一時的に置く用途として用いることができる。
【００３７】
図１２は、変形例にかかる袋保持装置３００ａに板金３５０を取り付けた際の斜視図である。図１２に示すように、袋保持装置３００ａもネジ穴Ｎ１にビスＢ２で留める板金３５０が着脱可能である。したがって、店舗の運用形態が袋４００にのみ商品を詰めて持ち帰るような運用形態である場合には、この板金３５０を取り付けることで、不用意にアーム保持具３０８ａの固定状態が解除され、袋４００の保持ができなくなることを防止できる。
【符号の説明】
【００３８】
１０１…載置台、１０２…秤台、１０２ａ…載置面、１０３…突部、２０１…決済端末、２０２ａ…ベースハウジング、２０２ｂ…上部ハウジング、２０３…バーコードスキャナ、２０４…プリンタカバー、２０５…監視カメラ、２０６…カード読取部、２０７…テンキー、２０８…レシート発行口、２０９…フラップ、２１０…表示器、２１１…タッチパネル、２１２…カード読取溝、２１３…硬貨投入口、２１４…硬貨払出口、２１５…紙幣投入口、２１６…紙幣払出口、２１７…表示ポール、２１８…発光部、３００、３００ａ…袋保持装置、３０１…載置台、３０２…台座、３０３…秤台、３０３ａ…載置面、３０４…ガード部材、３０５…立設支持部、３０６…上部板金、３０６ａ…前部板金、３０７…ヒンジ、３０８、３０８ａ…アーム保持具、３０９…保持アーム、３１０…袋保持部、３１１…案内板、３１２…レバー、３１３…天板、３１３ａ…板、３１３ｂ…板支持部、３１４、３１４ａ…ガード部材、３１５…支持柱、３１６…嵌合部、３２０…ガイド穴、３２１、３２２…支持棒、３２３…弾性部材、３３１…回転支持部、３３２…弾性部材、３３３…フック、３３４…アーム、３３５…留め具、３５０…板金、３５１…袋かけフック、４００…袋、５００…箱、Ｂ１、Ｂ２…ビス、Ｎ１…ネジ穴
【先行技術文献】
【特許文献】
【００３９】
【特許文献１】特開２００６−２３２３５０公報
【図１】
0005291688.tif 000002
【図２】
0005291688.tif 000003
【図３】
0005291688.tif 000004
【図４】
0005291688.tif 000005
【図５】
0005291688.tif 000006
【図６】
0005291688.tif 000007
【図７】
0005291688.tif 000008
【図８】
0005291688.tif 000009
【図９】
0005291688.tif 000010
【図１０】
0005291688.tif 000011
【図１１】
0005291688.tif 000012
【図１２】
0005291688.tif 000013